【手続補正書】
【提出日】平成26年4月24日(2014.4.24)
【手続補正１】
【補正対象書類名】特許請求の範囲
【補正対象項目名】全文
【補正方法】変更
【補正の内容】
【特許請求の範囲】
【請求項１】
各登場人物が動画中に登場する区間を表した区間メタデータを利用し、共演関係に基づく登場人物間の関係性の強さを表す関係性スコアを算出する関係性スコア算出部と、
動画に登場する各登場人物に対応するオブジェクトを表示するオブジェクト表示部と、
を備え、
前記オブジェクト表示部は、前記関係性スコアが高い登場人物の組に対応するオブジェクトを互いに近い位置に表示し、前記関係性スコアが低い登場人物の組に対応するオブジェクトの組を互いに離れた位置に表示する、
表示装置。
【請求項２】
前記区間メタデータを利用し、各登場人物が動画中に登場する時間の合計値を表す出演時間を登場人物毎に算出する出演時間算出部をさらに備え、
前記オブジェクト表示部は、前記出演時間が長い登場人物に対応するオブジェクトを大きく表示し、前記出演時間が短い登場人物に対応するオブジェクトを小さく表示する、
請求項１に記載の表示装置。
【請求項３】
前記関係性スコア算出部は、前記区間メタデータを利用し、各登場人物の組について共演作品の数を算出し、当該共演作品の数を前記関係性スコアとして出力する、
請求項１、又は２に記載の表示装置。
【請求項４】
前記関係性スコア算出部は、前記区間メタデータを利用し、各登場人物の組について、両登場人物が主役として出演した共演作品の数に第１の重み値をかけた値と、一方の登場人物が主役として出演し、かつ、他方の登場人物が脇役として出演した共演作品の数に第２の重み値をかけた値と、両登場人物が脇役として出演した共演作品の数に第３の重み値をかけた値と、を合計した値を前記関係性スコアとして出力し、
前記第１の重み値は、前記第２の重み値よりも大きく、
前記第２の重み値は、前記第３の重み値よりも大きい、
請求項１、又は２に記載の表示装置。
【請求項５】
前記関係性スコア算出部は、前記区間メタデータを利用し、各登場人物の組について、各共演作品中における一方の登場人物の出演時間と他方の登場人物の出演時間とをかけた値を全ての共演作品について合計し、合計した値を前記関係性スコアとして出力する、
請求項２に記載の表示装置。
【請求項６】
前記関係性スコア算出部は、前記区間メタデータを利用し、各登場人物の組について、両登場人物が同じ動画フレームに登場する時間の合計値を算出し、当該合計値を前記関係性スコアとして出力する、
請求項１、又は２に記載の表示装置。
【請求項７】
前記関係性スコア算出部は、前記区間メタデータを利用し、各登場人物の組について、両登場人物が主役として同じ動画フレームに登場する時間の合計値に第１の重み値をかけた値と、同じ動画フレームに一方の登場人物が主役として登場し、かつ、他方の登場人物が脇役として登場する時間の合計値に第２の重み値をかけた値と、両登場人物が脇役として同じ動画フレームに登場する時間の合計値に第３の重み値をかけた値と、を合計した値を前記関係性スコアとして出力する、
請求項１、又は２に記載の表示装置。
【請求項８】
前記関係性スコア算出部は、前記区間メタデータを利用し、各登場人物の組について、共演作品毎に、一方の登場人物の出演時間と他方の登場人物の出演時間とをかけた値と、両登場人物が同じ動画フレームに登場する時間の合計値と、をかけた値を算出し、算出した値を全ての共演作品について合計し、合計した値を前記関係性スコアとして出力する、
請求項２に記載の表示装置。
【請求項９】
前記オブジェクト表示部は、表示領域内におけるオブジェクトの位置に関する第１の関数と、オブジェクト間の位置関係に関する第２の関数とで構成されるポテンシャル関数の値が最小となるように全てのオブジェクトを表示し、
前記第１の関数は、オブジェクトの位置が前記表示領域に近づくほど値が大きくなる関数であり、
前記第２の関数は、関係性のある登場人物の組に対応する２つのオブジェクトが当該登場人物の組に対応する関係性スコアに応じた距離に近づくと値が減少し、関係性のない登場人物の組に対応する２つのオブジェクトが近づくと値が増加する関数であり、
前記関係性スコアに応じた距離は、前記関係性スコアが大きくなるほど小さくなる、
請求項１〜８のいずれか１項に記載の表示装置。
【請求項１０】
動画の１シーンを表す画像をタイル状に並べて表示するシーン表示部をさらに備え、
前記シーン表示部は、１つの前記オブジェクトがユーザにより選択された場合に、選択されたオブジェクトに対応する登場人物が登場する動画の１シーンを表す画像をハイライト表示する、
請求項１に記載の表示装置。
【請求項１１】
前記シーン表示部は、動画からランダムにシーンを選択し、選択したシーンを表す画像をランダムな位置に並べて表示する、
請求項１０に記載の表示装置。
【請求項１２】
前記シーン表示部は、同じ列に同じ動画から抽出された画像が並ぶように表示し、
前記画像は、抽出元の動画が古い順に行方向に並んで表示され、かつ、各動画中における出現時刻が早い順に列方向に並んで表示される、
請求項１０に記載の表示装置。
【請求項１３】
前記シーン表示部は、同じムードを持つシーンが同じ列に並ぶように前記動画の１シーンを表す画像を表示する、
請求項１０に記載の表示装置。
【請求項１４】
前記オブジェクト表示部は、ユーザにより１つの前記画像が選択された場合に、当該画像に対応する動画に登場する登場人物に対応するオブジェクトだけを表示する、
請求項１０に記載の表示装置。
【請求項１５】
前記オブジェクト表示部は、関連性のある登場人物の組に対応する２つのオブジェクトを結ぶ線を表示する、
請求項１に記載の表示装置。
【請求項１６】
ユーザにより１つの前記オブジェクトが選択された場合に、前記区間メタデータを利用して当該オブジェクトに対応する登場人物が登場する区間を抽出し、抽出した区間の動画フレームを再生する動画再生部をさらに備える、
請求項１に記載の表示装置。
【請求項１７】
前記オブジェクト表示部は、ユーザにより１つの前記オブジェクトが選択された場合に、選択されたオブジェクトに対応する登場人物と関係性のある登場人物に対応する全てのオブジェクトを同位相で動かす、
請求項１に記載の表示装置。
【請求項１８】
各登場人物が動画中に登場する区間を表した区間メタデータを利用し、共演関係に基づく登場人物間の関係性の強さを表す関係性スコアを算出するステップと、
動画に登場する各登場人物に対応するオブジェクトを表示するステップと、
を含み、
前記関係性スコアが高い登場人物の組に対応するオブジェクトの組は、互いに近い位置に表示され、
前記関係性スコアが低い登場人物の組に対応するオブジェクトの組は、互いに離れた位置に表示される、
オブジェクト表示方法。
【請求項１９】
各登場人物が動画中に登場する区間を表した区間メタデータを利用し、共演関係に基づく登場人物間の関係性の強さを表す関係性スコアを算出する関係性スコア算出機能と、
動画に登場する各登場人物に対応するオブジェクトを表示するオブジェクト表示機能と、
をコンピュータに実現させるためのプログラムであり、
前記オブジェクト表示機能は、前記関係性スコアが高い登場人物の組に対応するオブジェクトの組を互いに近い位置に表示し、前記関係性スコアが低い登場人物の組に対応するオブジェクトの組を互いに離れた位置に表示する、
プログラム。